(57)【要約】      （修正有）【課題】多数の水栓を有するアイランド型シンクを提供する。【解決手段】島状で小判状の槽本体１の水面部４の中央部には近似形状の幕体部２が立設して配置されている。この幕体部２には多数の水栓３が配置され特にその弧状部２ｂには２個の水栓３が配置され高さを変えて配設されている。【選択図】図１
0003225392.tif 000002
【実用新案登録請求の範囲】
【請求項１】
流水の受け溜りを行う水面部とここに設けられる流水口と前記水面部の外周縁に立ち上がる枠縁部とからなる槽本体と、該槽本体の中央部に立ち上がって形成される幕体部と、該幕体部に配置される多数の水栓とからなるシンクであって、前記槽本体の前記枠縁部が島状で小判状の状態からなり、前記幕体部の外周が前記枠縁部と近似形状のものからなり、前記水栓が前記幕本体の外周の直線部及び両端の弧状部に少なくとも２個以上配置されることを特徴とする多数の水栓を有するアイランド型シンク。
【請求項２】
前記アイランド型シンクが、人工大理石、ＦＲＰ、ステンレスのいずれか又はこれ等の任意の組み合わせからなることを特徴とする請求項１に記載の多数の水栓を有するアイランド型シンク。
【請求項３】
前記槽本体及び幕体部が色彩を有するものからなり、前記水栓が前記槽本体や幕体部の色彩に見合う色彩を有するものからなることを特徴とする請求項１に記載の多数の水栓を有するアイランド型シンク。
【考案の詳細な説明】
【技術分野】
【０００１】  本考案は、島状で小判状の槽本体とこの水面部に立ち上がる近似形状の幕体部と該幕体部の外周の直線部や両端の弧状部に少なくとも２個以上の水栓を有するアイランド型シンクであって、人工大理石やＦＲＰやステンレスやこれ等の任意の組合せから形状され、調和のとれた色彩を有する多数の水栓を有するアイランド型シンクに関する。
【背景技術】
【０００２】  シンク（流し台）としては各種形状のものが従来よりあるが槽本体やこの水面部に立ち上がる幕体部が島状で小判状のものはなく、また、多数の水栓を幕体部に配置し、人工大理石やＦＲＰやステンレス等やこれ等の組み合わせから形成され比較的安価に形成され、かつ美観を有するものは見当たらない。なお、近似の公知技術としては下記のものが挙げられる。
【先行技術文献】
【特許文献】
【０００３】
【特許文献１】実用新案登録第３２１２７９４号（図１）
【考案の概要】
【考案が解決しようとする課題】
【０００４】  前記の「特許文献１」の「実用新案登録第３２１２７９４号」の「複数人同時使用可能の人工大理石シンク」は同一出願人による公知技術であるがこの技術は多数の使用者が同時に使用出来る点において類似するものであるが多数の水栓を有し、小判状に形成されその直線部や両端の弧状部に複数の水栓が配置され人工大理石に限らずＦＲＰやステンレスからも形成され、かつこれ等の任意の組合せからも形成され、美観を有するべく形成されている本考案とは大きく相違するものであり、本考案は以上の特徴を有する多数の水栓を有するアイランド型シンクを提供することを目的とするものである。
【課題を解決するための手段】
【０００５】  本考案は以上の目的を達成するために請求項１の考案は、流水の受け溜りを行う水面部とここに設けられる流水口と前記水面部の外周縁に立ち上がる枠縁部とからなる槽本体と、該槽本体の中央部に立ち上がって形成される幕体部と、該幕体部に配置される多数の水栓とからなるシンクであって、前記槽本体の前記枠縁部が島状で小判状の状態からなり、前記幕体部の外周が前記枠縁部と近似形状のものからなり、前記水栓が前記幕本体の外周の直線部及び両端の弧状部に少なくとも２個以上配置されることを特徴とする。【０００６】  また、請求項２の考案は、前記アイランド型シンクが、人工大理石、ＦＲＰ、ステンレスのいずれか又はこれ等の任意の組み合わせからなることを特徴とする。【０００７】  また、請求項３の考案は、前記槽本体及び幕体部が色彩を有するものからなり、前記水栓が前記槽本体や幕体部の色彩に見合う色彩を有するものからなることを特徴とする。
【考案の効果】
【０００８】  本考案の請求項１の多数の水栓を有するアイランド型シンクによれば、槽本体や幕体部が小判状に形成され、多数の水栓を配置することが出来、安全な手洗が多数の使用者によって同時に出来る効果を上げることが出来る。【０００９】  また、請求項２の考案によれば、本考案のシンクは人工大理石、ＦＲＰ、ステンレスのいずれのものからも出来、かつこれ等の任意の組合せからも出来、比較的安価に、かつ軽量に形成することが出来る。【００１０】  また、請求項３の考案によれば、槽本体や幕体部が多色の色彩を有するものから形成され、水栓もこれ等の色彩に見合う色彩を有するものからなり、美観の向上を図ることが出来る。
【図面の簡単な説明】
【００１１】
【図１】  本考案の島状で小判状のアイランド型シンクを示す平面図。
【図２】  小判状の幕体部の両端の弧状部に配置される水栓を示す部分拡大平面図（ａ）とこのＡ矢視図（ｂ）。
【図３】  図１のＡーＡ断面と排水口の連結部や水栓の水道水源との連結状態を示す拡大断面図。
【考案を実施するための形態】
【００１２】  以下、本考案の多数の水栓を有するアイランド型シンクの実施の形態を図面を参照して詳述する。
なお、槽本体や幕体部の形状は図示の形状の小判状に限定するものではなく、水栓も各種のものが適用でき、かつ水栓の流し口が上方、水平、下方に変化可能のものにも適用されることは勿論である。
【実施例１】
【００１３】  図１は本考案の多数の水栓を有するアイランド型シンクの一例の全体構造を示す平面図である。このアイランド型シンク１００は槽本体１と幕体部２と水栓３とから構成される。
この槽本体１としては流水の受け溜りを行う水面部４と水面部４の外周縁から立ち上がる枠縁部５と水面部４に設けられている流水口６等とから構成される。本実施例では枠縁部５の形状が島状の小判状のものからなり、全体形状としては枠縁部５は細長な直線部５ａとこの両端に設けられている弧状部５ｂとからなり前記のように全体として小判状に形成されている。小判状に形成した理由としては後に述べる水栓３を多数配置するためであり、特に弧状部５ｂの形成により、少なくとも２個の水栓３を配置することが出来る。【００１４】  以上の槽本体１の水面部４の中央部には幕体部２が立ち上がり形成されている。この幕体部２は槽本体１の枠縁部５と近似する形状のものからなり、その外周の直線部２ａ及び弧状部２ｂには水栓３が配置されている。この実施例では直線部２ａに３個の水栓３が配置され、弧状部２ｂには２個の水栓３が配置されている。
但し、本考案ではこの水栓３の配置は上記の内容に限定するものではない。【００１５】  水栓３は本実施例では図１に示すような形態で配置されているが、水栓３そのものの形態は任意であり、限定するものではない。但し、弧状部２ｂにおける水栓３は図２の（ａ）、（ｂ）に示すように配置され、特に図２の（ｂ）に示すように配置の高さを相違させて配置されている。その理由としては弧状部２ｂの比較的狭いスペースにおける手洗をやり易くするためのものである。但し、これに限定するものではない。
また、水栓３としては前記したように任意の形態のものでよく、流出口が下向きのものや、上下中央に調整可能のものでもよく、その全体の形態としては既存のものや新しい形態のもののすべてが適用可能である。【００１６】  また、本考案のアイランド型シンク１００としては、人工大理石、ＦＲＰ、ステンレスのいずれの材質のものからなり、更にこれ等の材質の任意の組合せのものから形成してよい。これにより安価の効果を上げることが出来る。【００１７】  また、本考案のアイランド型シンク１００は槽本体１や幕体部２に色彩を施したものからなり、これにより美観の向上を図ることが出来る。また、その色彩としては２５種類のものがあり選択使用出来る。また、水栓３は槽本体１や幕体部２の色彩と調和のとれた色彩のものからなり、これにより全体として一層の美観の向上を図ることが出来る。なお、色彩の塗着技術についてはノウハウ的のものであり、ここでの説明は省略する。【００１８】  図３は本考案のアイランド型シンク１００の流水口６や水栓３の具体的の連結形態の一例を示したものである。
図示のように槽本体１は箱体７により地面８上に支持されている。流水口６に配管９が連結され排水される。また、水栓３は配管１０を介して水道水源１１に連結されている。【００１９】  本考案の多数の水栓を有するアイランド型シンク１００は以上の説明の内容よりなるが、これに限定するものでなく、同一技術的範疇のものが適用されることは勿論である。
【産業上の利用可能性】
【００２０】  本考案のアイランド型シンクは学校、役所等の流し台としての他、各種の建物における流し台や手洗に適用され、その利用範囲は極めて広い。
【符号の説明】
【００２１】１      槽本体
２      幕体部
２ａ    直線部
２ｂ    弧状部
３      水栓
４      水面部
５      枠縁部
５ａ    直線部
５ｂ    弧状部
６      流水口
７      箱体
８      地面
９      配管
１０    配管
１１    水道水源
１００  アイランド型シンク
【図１】
0003225392.tif 000003
【図２】
0003225392.tif 000004
【図３】
0003225392.tif 000005
【手続補正書】
【提出日】令和1年12月12日(2019.12.12)
【手続補正１】
【補正対象書類名】実用新案登録請求の範囲
【補正対象項目名】請求項１
【補正方法】変更
【補正の内容】
【請求項１】
流水の受け溜りを行う水面部とここに設けられる流水口と前記水面部の外周縁に立ち上がる枠縁部とからなる槽本体と、該槽本体の中央部に立ち上がって形成される幕体部と、該幕体部に配置される多数の水栓とからなるシンクであって、前記槽本体の前記枠縁部が島状で小判状の状態からなり、前記幕体部の外周が前記枠縁部と近似形状のものからなり、前記水栓が前記幕体部の外周の直線部及び両端の弧状部に少なくとも２個以上配置されることを特徴とする多数の水栓を有するアイランド型シンク。
【手続補正２】
【補正対象書類名】明細書
【補正対象項目名】０００５
【補正方法】変更
【補正の内容】
【０００５】  流水の受け溜りを行う水面部とここに設けられる流水口と前記水面部の外周縁に立ち上がる枠縁部とからなる槽本体と、該槽本体の中央部に立ち上がって形成される幕体部と、該幕体部に配置される多数の水栓とからなるシンクであって、前記槽本体の前記枠縁部が島状で小判状の状態からなり、前記幕体部の外周が前記枠縁部と近似形状のものからなり、前記水栓が前記幕体部の外周の直線部及び両端の弧状部に少なくとも２個以上配置されることを特徴とする。